(57)【要約】【課題】  操作ボタンの押下を検知するスイッチと操作ボタンへの接触を検知するスイッチとを有する入力装置において、押下を検知するスイッチが故障した場合でも、接触を検知するスイッチのみで使用することができる。【解決手段】  キートップ３とキートップベース４とからなる操作ボタンと、操作ボタンの押下を検知する第１スイッチＳＷ１と、操作ボタンへの接触を検知する第２スイッチＳＷ２と、第２スイッチＳＷ２が異常状態の間に、第１スイッチＳＷ１が検知状態となったときに、操作ボタンに対応する情報を入力する制御部５と、を備え、制御部５は、第１スイッチＳＷ１が非検知状態の間に、第２スイッチＳＷ２の検知状態が所定時間継続したとき、操作ボタンに対応する情報を入力する。【選択図】図１
2014175158.tif 000002
【特許請求の範囲】
【請求項１】
操作ボタンと、
前記操作ボタンの押下を検知する第１スイッチと、
前記操作ボタンへの接触を検知する第２スイッチと、
前記第１スイッチと前記第２スイッチとの検知状態に基づいて、前記操作ボタンに対応する情報を入力する制御部と、
を備え、
前記制御部は、前記第１スイッチが異常状態の間に、前記第２スイッチの検知状態が所定時間継続したとき、前記操作ボタンに対応する情報を入力する、
ことを特徴とする入力装置。
【請求項２】
前記制御部は、前記第２スイッチが非検知状態の間に、前記第１スイッチが検知状態となったとき、前記第１スイッチの検知結果を無効化する、
請求項１記載の入力装置。
【請求項３】
前記第１スイッチは、前記操作ボタンの押下に応じて可動する可動接点と、前記操作ボタンが押下されたときに前記可動接点と接触する固定接点と、を備え、前記可動接点と前記固定接点とが接離することで電気回路が開閉されて前記操作ボタンの押下を検知する、
請求項１または２記載の入力装置。
【請求項４】
前記第１スイッチと前記第２スイッチとは装置本体に設けられ、
前記操作ボタンは、被押圧面としてのキートップと、前記キートップの裏面から前記装置本体の内部に延設されるスイッチ押圧部と、を備え、
前記キートップは、前記装置本体の外部に露出し、
前記可動接点は、前記スイッチ押圧部の先端に設けられ、
前記固定接点は、前記装置本体の内部に配置され、前記可動接点と前記固定接点とが接離することで開閉される電気回路の回路パターンが形成された基板に設けられ、
前記第２スイッチは、前記キートップへの接触を検知する、
請求項３記載の入力装置。
【請求項５】
前記制御部は、前記操作ボタンに対応する情報を入力した後に、前記第１スイッチの検知結果を無効化したとき、前記入力された情報をキャンセルする、
請求項２乃至４のいずれかに記載の入力装置。
【請求項６】
前記制御部は、前記第１スイッチの検知結果が無効化されている間、前記第２スイッチの検知状態に基づいて、前記操作ボタンに対応する情報を入力する、
請求項２乃至５のいずれかに記載の入力装置。
【請求項７】
前記制御部は、前記第２スイッチの検知状態が所定時間継続したときにのみ、前記操作ボタンに対応する情報を入力する、
請求項６記載の入力装置。
【請求項８】
前記制御部が前記第１スイッチの検知結果を無効化したときに、前記第１スイッチの検知結果が無効化されたことを報知する報知部を備える、
請求項２乃至７のいずれかに記載の入力装置。
【請求項９】
操作者に操作される入力装置を備え、
前記入力装置から入力された情報に基づいて動作する電子機器であって、
前記入力装置は、請求項１乃至８のいずれかに記載の入力装置である、
ことを特徴とする電子機器。
【発明の詳細な説明】
【技術分野】
【０００１】
本発明は、電子機器の入力装置と、この入力装置を備える電子機器に関するものである。
【背景技術】
【０００２】
従来、機械的な構造により接点を接触させることで操作ボタンの押下を検知するスイッチ装置と、使用者の指との静電容量を感知して操作ボタンへの接触を検知する静電容量式タッチ感知装置を含む電子機器の入力装置が知られている（例えば、特許文献１参照）。ここで、特許文献１の入力装置は、スイッチ装置と静電容量式タッチ感知装置とを同時に検知することができるように構成される。
【０００３】
特許文献１の入力装置では、静電容量式タッチ感知装置が使用者の指との静電容量を感知し、かつ、スイッチ装置が押下されたことを感知することによって動作する。ここで、静電容量式タッチ感知装置は、鉛筆の先端、タッチペンなどを感知しない。
【０００４】
特許文献１の入力装置によれば、スイッチ装置と静電容量式タッチ感知装置との両方を使用することにより、例えば、バッグ、ポケットまたは財布に入れられているときに偶然入力されてしまうことを防止する。
【０００５】
また、電子機器の入力装置として、操作パネル上にソフトキーを表示して、ソフトキーを操作者が操作することによって所定の動作を受け付けるものが知られている（例えば、特許文献２参照）。
【発明の概要】
【発明が解決しようとする課題】
【０００６】
しかしながら、特許文献１の入力装置では、スイッチ装置と静電容量式タッチ感知装置の双方が入力を感知した場合にのみ入力を受け付けるため、スイッチ装置の故障が発生した場合には、故障した部品を交換しなければ、入力装置を使用することができない。
【０００７】
ここで、スイッチ装置の故障の事象としては、例えば、キートップ（メカ部品）のヒンジ（可動部）の破損等により、キートップが押し込めない（キーが下がらない）状態、あるいは、押しっ放し（下がりっ放し）の状態が挙げられる。
【０００８】
また、スイッチ装置の故障の他の事象としては、スイッチ装置の接点故障による押下検知の不具合や、半田付け不良等の経時的な基板の不具合が挙げられる。
【０００９】
本発明は、操作ボタンの押下を検知するスイッチと操作ボタンへの接触を検知するスイッチとを有する入力装置において、押下を検知するスイッチが故障した場合でも、接触を検知するスイッチのみで使用することができる入力装置を提供することを目的とする。
【課題を解決するための手段】
【００１０】
本発明は、操作ボタンと、操作ボタンの押下を検知する第１スイッチと、操作ボタンへの接触を検知する第２スイッチと、第２スイッチが検知状態の間に、第１スイッチが検知状態となったときに、操作ボタンに対応する情報を入力する制御部と、を備え、制御部は、第１スイッチが異常状態の間に、第２スイッチの検知状態が所定時間継続したとき、操作ボタンに対応する情報を入力する、ことを特徴とする。
【発明の効果】
【００１１】
本発明によれば、操作ボタンの押下を検知するスイッチと操作ボタンへの接触を検知するスイッチとを有する入力装置において、押下を検知するスイッチが故障した場合でも、接触を検知するスイッチのみで使用することができる。
【図面の簡単な説明】
【００１２】
【図１】本発明に係る入力装置の実施の形態を示す斜視図である。
【図２】上記入力装置を構成するキートップベースの斜視図である。
【図３】上記入力装置を構成する第２スイッチの斜視図である。
【図４】上記キートップベースに上記第２スイッチを載置した状態を示す斜視図である。
【図５】上記入力装置を構成するキートップの斜視図である。
【図６】上記入力装置の側断面図である。
【図７】上記入力装置の動作を示すフローチャートである。
【発明を実施するための形態】
【００１３】
以下、本発明に係る入力装置と電子機器の実施の形態について、図面を参照しながら説明する。
【００１４】
●入力装置●
まず、本発明に係る入力装置の実施の形態について説明する。
【００１５】
●入力装置の構成
図１は、本発明に係る入力装置の実施の形態を示す斜視図である。同図に示すように、入力装置１は、基板２の上に、キートップ３と、第１スイッチＳＷ１と、キートップベース４と、第２スイッチＳＷ２と、制御部５を有する。
【００１６】
ここで、本発明における操作ボタンは、被押圧面としてのキートップ３と、キートップ３の裏面から後述の装置本体の内部に延設されるスイッチ押圧部としてのキートップベース４とにより構成される。
【００１７】
基板２は、プリント基板などの各種基板である。基板２には、第１スイッチＳＷ１と第２スイッチＳＷ２と制御部５とが載置される。
【００１８】
第１スイッチＳＷ１は、いわゆるハードキーと言われるスイッチである。第１スイッチＳＷ１は、後述するようにキートップベース４を介して不図示の接点がキートップ３の押下を検知する。
【００１９】
図２は、キートップベース４の斜視図である。同図に示すように、キートップベース４は、第１スイッチの上に配置され、操作者からの入力を第１スイッチＳＷ１に伝達する。また、キートップベース４は、第２スイッチＳＷ２を載置するための基台としても機能する。
【００２０】
図３は、第２スイッチＳＷ２の斜視図である。同図に示すように、第２スイッチＳＷ２は、静電容量式スイッチなど、キートップ３への操作者の指などの接触を検知する検知部ＳＷ２ａを備える。
【００２１】
第２スイッチＳＷ２は、ＦＰＣ（Flexible Printed Circuits）など、キートップ３が押下されたことに対応して変形する柔軟性のある材質で形成される。
【００２２】
図４は、キートップベース４に第２スイッチＳＷ２を載置した状態を示す斜視図である。同図に示すように、キートップベース４の上部に第２スイッチＳＷ２を載置し、第２スイッチＳＷ２の上部にキートップ３を載置することで、キートップ３への入力が第１スイッチＳＷ１に加えて第２スイッチＳＷ２にも伝達される。
【００２３】
図５は、キートップ３の斜視図である。同図に示すように、キートップ３は、入力装置１の不図示の筐体の外部に露出し、キートップ３への操作者の指の接触を検知して操作者からの入力を受け付ける。
【００２４】
図６は、入力装置１の側面図である。同図に示すように、第１スイッチＳＷ１と第２スイッチとＳＷ２は、入力装置１の装置本体６（筐体）に設けられる。
【００２５】
キートップ３は、キートップベース４の上部に取り付けられて、装置本体６の外部に露出し、操作者の指１０からの入力を受け付ける。
【００２６】
キートップベース４は、装置本体６の取付孔７に取り付けられる。キートップベース４は、キートップ３を介した入力により、第１スイッチＳＷ１の固定接点ＳＷ１ａを押圧する。
【００２７】
第１スイッチＳＷ１は、キートップベース４の押下に応じて可動するキートップベース４の先端に設けられる可動接点ＳＷ１ｂと、キートップ３を介してキートップベース４が押下されたときに可動接点ＳＷ１ｂと接触する固定接点ＳＷ１ａと、を備える。
【００２８】
固定接点ＳＷ１ａは、装置本体６の内部に配置されていて、電気回路の回路パターンが形成された基板２に設けられる。
【００２９】
ここで、第１スイッチＳＷ１は、可動接点ＳＷ１ｂと固定接点ＳＷ１ａとが接離することで不図示の電気回路が開閉されてキートップ３の押下を検知することができる。
【００３０】
制御部５は、後述する入力装置１の動作のためのプログラムを実行する機能を有する、例えば、ＣＰＵ（Central Processing Unit）である。制御部５は、第２スイッチＳＷ２が検知状態の間に、第１スイッチＳＷ１が検知状態となったときに、キートップ３に対応する情報を入力する。
【００３１】
すなわち、入力装置１は、第１スイッチＳＷ１が検知状態（固定接点ＳＷ１ａと可動接点ＳＷ１ｂとが接触した状態）で、かつ、第２スイッチＳＷ２が検知状態（キートップ３へ指が接触した状態）のときに、キートップ３に対応する情報を入力する。
【００３２】
また、制御部５は、第２スイッチＳＷ２が非検知状態の間に、第１スイッチＳＷ１が検知状態となったとき、第１スイッチＳＷ１の検知結果を無効化する。すなわち、入力装置１は、第２スイッチＳＷ２が非検知状態の間に第１スイッチＳＷ１が検知状態となったとき、以後の第１スイッチＳＷ１の検知結果を情報の入力に反映させない。
【００３３】
さらに、制御部５は、第１スイッチＳＷ１が非検知状態の間に、第２スイッチＳＷ２の検知状態が所定時間継続したとき、キートップ３に対応する情報を入力する。
【００３４】
すなわち、入力装置１は、第１スイッチＳＷ１が非検知状態で、かつ、第２スイッチＳＷ２の検知状態が所定時間継続したとき、キートップ３に対応する情報を入力する。ここで、第１スイッチＳＷ１が非検知状態とは、固定接点ＳＷ１ａと可動接点ＳＷ１ｂとが接触していない状態、または、第１スイッチＳＷ１の検知結果が無効化されている状態である。
【００３５】
なお、制御部５は、後述する本発明に係る入力装置の入力信号や長押しに基づいた動作をすることができるものであれば、ＣＰＵを用いなくてもよい。
【００３６】
●入力装置の動作
図７は、入力装置１の動作を示すフローチャートである。同図において、第１スイッチＳＷ１が押下されている状態をＯＮとし、第１スイッチＳＷ１が押下されていない状態をＯＦＦとする。
【００３７】
また、図７において、第２スイッチＳＷ２が接触を検知した場合をＯＮとし、第２スイッチＳＷ２が接触を検知していない場合をＯＦＦとする。また、第１スイッチＳＷ１または第２スイッチＳＷ２の少なくともいずれか一方が故障状態、あるいは押されっ放しにより入力が継続している状態を、異常モード（異常状態）とする。
【００３８】
制御部５は、第２スイッチＳＷ２の状態がＯＮであるかＯＦＦであるかを判断する（Ｓ１０１）。
【００３９】
第２スイッチＳＷ２の状態がＯＮである場合に、制御部５は、第１スイッチＳＷ１の状態がＯＮであるかＯＦＦであるかを判断する（Ｓ１０２）。
【００４０】
第１スイッチＳＷ１と第２スイッチＳＷ２の状態がともにＯＮである場合に、制御部５は、双方のスイッチのＯＮ状態が所定時間続いているか否かを判断する（Ｓ１０３）。
【００４１】
第１スイッチＳＷ１と第２スイッチＳＷ２双方のＯＮ状態が所定時間続いている場合に（Ｓ１０３：ＹＥＳ）、制御部５は、通常のスイッチ動作であると判断する。このとき、制御部５は、第１スイッチＳＷ１と第２スイッチＳＷ２とに対応する情報（キートップ３に対応する情報）を入力する（Ｓ１０４）。Ｓ１０４の処理が終了すると、制御部５は、Ｓ１０１の処理に戻る。
【００４２】
一方、第１スイッチＳＷ１と第２スイッチＳＷ２双方のＯＮ状態が所定時間継続しなかった場合に（Ｓ１０３：ＮＯ）、制御部５は、第１スイッチＳＷ１と第２スイッチＳＷ２双方のスイッチ動作が異常モードであると判断する（Ｓ１０５）。
【００４３】
ここで、Ｓ１０５において、制御部５は、入力装置１が接続される電子機器の不図示の出力装置（ＬＥＤ（Light Emitting Diode）、音声、液晶ディスプレイなど）を介して、操作者に対して異常である旨を通知する。ここで、上記出力装置は、本発明における報知部に対応する。
【００４４】
Ｓ１０５の処理が終了すると、制御部５は、Ｓ１０１の処理に戻る、または、処理を中断する。
【００４５】
また、以下の説明において、制御部５は、既に異常モードであると判断している場合には、異常モードであると判断する処理は省略し、Ｓ１０１の処理に戻る、または、処理を中断する。
【００４６】
Ｓ１０２において、第１スイッチＳＷ１の状態がＯＦＦであると判断した場合に、制御部５は、双方のスイッチの状態（ＳＷ１：ＯＦＦ、ＳＷ２：ＯＮ）が所定時間続いているか否かを判断する（Ｓ１０６）。
【００４７】
第２スイッチＳＷ２のみのＯＮ状態が所定時間続いている場合に（Ｓ１０６：ＹＥＳ）、制御部５は、第１スイッチＳＷ１が故障していると判断して、第２スイッチＳＷ２の長押し動作モードに移行する（Ｓ１０７）。ここで、長押し動作モードとは、所定時間継続して第２スイッチＳＷ２の検知状態が継続された場合に第２スイッチＳＷ２に対応する情報を入力するモードである。この所定時間は、入力装置１内の記憶手段（不図示）に記憶されている。
【００４８】
長押し動作モードに移行後、制御部５は、双方のスイッチの状態（ＳＷ１：ＯＦＦ、ＳＷ２：ＯＮ）が所定時間続いているか否かを判断する（Ｓ１０８）。
【００４９】
双方のスイッチの状態（ＳＷ１：ＯＦＦ、ＳＷ２：ＯＮ）が所定時間続いている場合に（例えば、Ｓ１０８：ＹＥＳ）、制御部５は、異常モードであると判断して、電子機器の出力装置を介して、操作者に対して異常である旨を通知する（Ｓ１０９）。ここで、第２スイッチＳＷ２の状態としては、押されっ放しになっている場合などが挙げられる。Ｓ１０９の処理が終了すると、制御部５は、Ｓ１０１の処理に戻る、または、処理を中断する。
【００５０】
一方、双方のスイッチの状態が所定時間継続しなかった場合には（Ｓ１０８：ＮＯ）、既に第１スイッチＳＷ１が故障していることから、制御部５は、第２スイッチＳＷ２の検知状態に基づいて第２スイッチＳＷ２に対応する情報を入力する（Ｓ１１０）。Ｓ１１０の処理が終了すると、制御部５は、Ｓ１０１の処理に戻る。
【００５１】
Ｓ１０６の処理において、双方のスイッチの状態が所定時間継続しなかった場合とは（Ｓ１０６：ＮＯ）、第１スイッチＳＷ１が故障により非検知状態の場合、または、既に第１スイッチＳＷ１が異常モードであるため無効化されている場合が挙げられる。
【００５２】
ここで、制御部５は、第１スイッチＳＷ１が無効化されているか否かを判断する（Ｓ１１１）。第１スイッチＳＷ１が無効化されている場合（Ｓ１１１：ＹＥＳ）には、制御部５は、第２スイッチＳＷ２に対応する情報を入力する（Ｓ１１２）。
【００５３】
また、第１スイッチＳＷ１が無効化されていない（第１スイッチＳＷ１が故障により非検知状態）場合（Ｓ１１１：ＮＯ）には、制御部５は、第２スイッチＳＷ２に入力された情報もＯＦＦ状態であると判断して、第２スイッチＳＷ２に対応する情報を受け付けない（Ｓ１１３）。
【００５４】
Ｓ１１２またはＳ１１３の処理が終了すると、制御部５は、Ｓ１０１の処理に戻る。
【００５５】
Ｓ１０１の処理において、第２スイッチＳＷ２の状態がＯＦＦであると判断した場合に、制御部５は、第１スイッチＳＷ１の状態がＯＮ状態であるかＯＦＦ状態であるかを判断する（Ｓ１１４）。この状態は、例えばペン先など、指以外の物体でキートップ３に触れたことが挙げられる。
【００５６】
第１スイッチＳＷ１の状態がＯＮで第２スイッチＳＷ２の状態がＯＦＦである場合に、制御部５は、双方のスイッチの状態（ＳＷ１：ＯＮ、ＳＷ２：ＯＦＦ）が所定時間続いているか否かを判断する（Ｓ１１５）。
【００５７】
第１スイッチＳＷ１のＯＮ状態と第２スイッチＳＷ２の非検知状態が所定時間継続している場合に（Ｓ１１５：ＹＥＳ）、制御部５は、第１スイッチＳＷ１が異常モードであると判断し、第１スイッチＳＷ１の検知結果を無効化する（Ｓ１１６）。
【００５８】
なお、制御部５は、キートップ３に対応する情報を入力した後に、第１スイッチＳＷ１の検知結果を無効化したとき、入力された情報をキャンセルする。
【００５９】
また、Ｓ１１６において、制御部５は、電子機器の出力装置を介して、操作者に対して異常である旨を通知する。Ｓ１１６の処理が終了すると、制御部５は、Ｓ１０１の処理に戻る、または、処理を中断する。
【００６０】
一方、第１スイッチＳＷ１と第２スイッチＳＷ２双方の状態が所定時間継続しなかった場合に（Ｓ１１５：ＮＯ）、制御部５は、第１スイッチＳＷ１から操作者からの入力が無くなったと判断して、第１スイッチＳＷ１に対応した操作の情報を受け付ける（Ｓ１１７）。Ｓ１１７の処理が終了すると、制御部５は、Ｓ１０１の処理に戻る。
【００６１】
以上説明した入力装置１によれば、第１スイッチＳＷ１が故障していても、その故障を検知した上で、第２スイッチＳＷ２の検知状態のみで情報を入力することができる。ここで、第１スイッチＳＷ１は、装置本体６の内部に配置されているが、第２スイッチＳＷ２は装置本体６の外部に露出しているため、第１スイッチＳＷ１が故障しても装置本体６を開筐することなく、情報の入力を受け付けることができる。
【００６２】
●電子機器●
次に、本発明に係る電子機器の実施の形態について説明する。
【００６３】
本発明に係る電子機器は、操作者に操作される入力装置を備え、入力装置から入力された情報に基づいて動作する機器である。
【００６４】
ここで、入力装置は、先に説明した本発明に係る入力装置１である。
【００６５】
以上説明した電子機器によれば、第１スイッチＳＷ１が故障していても、その故障を検知した上で、第２スイッチＳＷ２の検知状態のみで情報を入力することができる。ここで、第１スイッチＳＷ１は、装置本体６の内部に配置されているが、第２スイッチＳＷ２は装置本体６の外部に露出しているため、第１スイッチＳＷ１が故障しても装置本体６を開筐することなく、情報の入力を受け付けることができる。
【符号の説明】
【００６６】
１        ：入力装置
２        ：基板
３        ：キートップ
４        ：キートップベース
５        ：制御部
６        ：装置本体
ＳＷ１    ：第１スイッチ
ＳＷ１ａ  ：固定接点
ＳＷ１ｂ  ：可動接点
ＳＷ２    ：第２スイッチ
【先行技術文献】
【特許文献】
【００６７】
【特許文献１】特表２０１０−５３２０３０号公報
【特許文献２】特開２０１１−０５１１６４号公報
【図１】
2014175158.tif 000003
【図２】
2014175158.tif 000004
【図３】
2014175158.tif 000005
【図４】
2014175158.tif 000006
【図５】
2014175158.tif 000007
【図６】
2014175158.tif 000008
【図７】
2014175158.tif 000009